【手続補正書】
【提出日】平成15年5月21日(2003.5.21)
【手続補正１】
【補正対象書類名】明細書
【補正対象項目名】特許請求の範囲
【補正方法】変更
【補正の内容】
【特許請求の範囲】
【請求項１】
長手方向に伸長したハンドグリップを持つゴルフクラブとともに使用されるゴルフクラブ用ハンドル装置であって、
長手軸に沿って伸長し、第一部分、第二部分及び該第一部分と該第二部分の間に位置する中間部分を持つ細長いシャフトと、
該中間部分に接続され、大体平行でかつ互いに離れておりその間には該シャフトが位置し、それぞれが該長手軸に対し大体垂直に伸長するそれぞれのハンドル軸に沿って伸長する一組のハンドル対を持つハンドル構造と、
該第一部分に接続され、該シャフトに対し離れてかつ反対の方向に向いている前腕支持面を持つ前腕支持部材と、
該第二部分に位置し、上記ゴルフクラブの上記ハンドグリップと該ゴルフクラブ用ハンドル装置を接続しうるコネクタをそなえることを特徴とする、ゴルフクラブ用ハンドル装置。
【請求項２】
該第二部分が、上記ゴルフクラブの上記ハンドグリップを滑動可能に収容しうるように調整された中空状の管を規定することを特徴とする、請求項１記載のゴルフクラブ用ハンドル装置。
【請求項３】
該第二部分が、該長手軸に対して放射状に伸長し該第二部分を貫通する少なくとも一組の一直線に並んだホール対をもつことを特徴とする、請求項２記載のゴルフクラブ用ハンドル装置。
【請求項４】
該コネクタが、上記ゴルフクラブの上記ハンドグリップが該第二部分に収容されたときに、該少なくとも一組の一直線に並んだホール対および上記ゴルフクラブの上記ハンドグリップに形成されたハンドグリップホールを貫通して伸長するように調整された少なくとも一つのコッターを持つことを特徴とする、請求項３記載のゴルフクラブ用ハンドル装置。
【請求項５】
該少なくとも一つのコッターが、ナットとボルトおよびコッターピンのうちの一つであることを特徴とする、請求項４記載のゴルフクラブ用ハンドル装置。
【請求項６】
該コネクタが、該第二部分に接続され該第二部分から離れる方向に伸長していて、ハンドルグリップ受容開口部を規定する一組のネジ切り弧部対と、該第二部分、該一組のネジ切り弧部対および該第二部分と該一組のネジ切り弧部対の両方のうち少なくともいずれか一つの近くに設けられ、該一組のネジ切り弧部対にかみ合わさるようされたネジ切り環部を備えることを特徴とする、請求項１〜５の何れか１項に記載のゴルフクラブ用ハンドル装置。
【請求項７】
該ネジ切り環部が、該一組のネジ切り弧部対に沿ってかみ合せを進められていくと、該ハンドルグリップ受容開口部がだんだん小さくなり、該ネジ切り環部が該一組のネジ切り弧部対との結合状態から引き戻されていくと、該ハンドルグリップ受容開口部がだんだん大きくなることを特徴とする、請求項６記載のゴルフクラブ用ハンドル装置。
【請求項８】
該一組のネジ切り弧部対の少なくとも一方の長手方向の厚さが、該ハンドルグリップ受容開口部から該第二部分へ向かって薄くなっていることを、特徴とする請求項６又は７記載のゴルフクラブ用ハンドル装置。
【請求項９】
該ハンドル軸が、該長手軸に略垂直な方向に広がる共通の面内にそれぞれ設けられることを、特徴とする請求項１〜８の何れか１項に記載のゴルフクラブ用ハンドル装置。
【請求項１０】
該一組のハンドル対が、該シャフトより等距離だけ離れていることを特徴とする、請求項１〜９の何れか１項に記載のゴルフクラブ用ハンドル装置。
【請求項１１】
該ハンドル構造が、第一取り付け部材および該第一取り付け部材に対し横方向に接続されＴ字型構成を形成する第二取り付け部材をそなえ、該第一取り付け部材が該シャフトの該中間部分に接続されるとともに、該第二取り付け部材が該一組のハンドル対のそれぞれに接続されて該シャフトを内部に持つＵ字型構造を形成することを特徴とする、請求項１〜１０の何れか１項に記載のゴルフクラブ用ハンドル装置。
【請求項１２】
該一組のハンドル対が、該第二取り付け部材にそれぞれ大体垂直に接続されていることを特徴とする、請求項１１記載のゴルフクラブ用ハンドル装置。
【請求項１３】
該ハンドル構造が、第三取り付け部材および該第三取り付け部材に対し横方向に接続されＴ字型構成を形成る第四取り付け部材をそなえ、該第三取り付け部材が、該第一取り付け部材と一直線になるように該シャフトの中間部分に接続されるとともに、かつ該第四部分が該一組のハンドル対のそれぞれに接続されて、該シャフトを取り囲むハンドル構造を構成することを特徴とする、請求項１１又は１２記載のゴルフクラブ用ハンドル装置。
【請求項１４】
該一組のハンドル対が、該第四取り付け部材にそれぞれ大体垂直に接続されていることを特徴とする、請求項１３のゴルフクラブ用ハンドル装置。
【請求項１５】
該前腕支持面が、該一組のハンドル対のうちの選択された一方に向かって傾斜している虚下降線に沿って伸長し、それによって該虚下降線が該長手軸に対し鋭角を形成することを特徴とする、請求項１〜１４の何れか１項に記載のゴルフクラブ用ハンドル装置。
【請求項１６】
該前腕支持部材が、ユーザーの前腕の内側の大部分に密着し収容しうるよう調整された凹部を形成するように構成されたカフ部をそなえることを特徴とする、請求項１〜１５の何れか１項に記載のゴルフクラブ用ハンドル装置。
【請求項１７】
該前腕支持部材が、該第一部分および該カフ部に接続され、かつ、該第一部分と該カフ部の間に設けられたスペーサー部をそなえることを特徴とする、請求項１６記載のゴルフクラブ用ハンドル装置。
【請求項１８】
該前腕支持部材が、ユーザーの前腕をとり囲み収容しうるよう調整されたスリーブをそなえることを特徴とする、請求項１〜１７の何れか１項に記載のゴルフクラブ用ハンドル装置。
【請求項１９】
該前腕支持部材が、該第一部分および該カフ部に接続され、かつ、該第一部分と該カフ部の間に設けられたスペーサー部をそなえることを特徴とする、請求項１８記載のゴルフクラブ用ハンドル装置。
【請求項２０】
該スリーブが、大開口部と小開口部を持つ前腕収容チャネルを規定し、該小開口部が該選択された一方のハンドルと該大開口部の間に位置する切頭円錐形を形成することを特徴とする、請求項１８又は１９記載のゴルフクラブ用ハンドル装置。
【請求項２１】
該前腕支持部材が、該シャフトに離脱可能に接続され、離脱時には、該長手軸を回転中心として旋回しうることを特徴とする、請求項１〜２０の何れか１項に記載のゴルフクラブ用ハンドル装置。
【請求項２２】
該シャフトが、該シャフトに取り付けれられ、かつ、該シャフトをとり囲む歯状環をそなえ、該歯状環は、放射状に伸長している複数の歯をそなえることを特徴とする、請求項２１記載のゴルフクラブ用ハンドル装置。
【請求項２３】
該前腕支持部材が、該カフ部とは反対側にスペーサー部に接続され、滑動可能に該シャフトを収容しうるよう調整された管状部をそなえ、該管状部が、管端部に該歯状環に形成された該複数の歯とかみ合わせさる放射状に伸長した複数の歯をそなえることを特徴とする、請求項２２記載のゴルフクラブ用ハンドル装置。
【請求項２４】
該前腕支持部材が、ネジ切りキャップをそなえ、該シャフトが、該ネジ切りキャップとかみ合わさるネジ切りシャフト端部をそなえることを特徴とする、請求項２１〜２３の何れか１項に記載のゴルフクラブ用ハンドル装置。
【請求項２５】
ゴルフクラブであって、
長手軸に沿って伸長し、ヘッド部および該ヘッド部とは反対側に位置するハンドル部をそなえている細長いゴルフクラブシャフトと、
該ヘッド部に接続されたゴルフクラブヘッドと、
ハンドル上部とハンドル下部をそなえ、該ハンドル下部は該ハンドル上部と該ゴルフクラブヘッドの間に位置する該ハンドル部に接続されたハンドル構造とをそなえ、
該ハンドル構造が、
該ハンドル下部に接続され、大体平行でかつ互いに離れておりその間には該ゴルフクラブシャフトの該ハンドル部が位置し、該長手軸に対して大体垂直に広がる面内に位置する一組のハンドル対と、
該ハンドル上部に接続され、該ゴルフクラブシャフトの該ハンドル部に対し離れてかつ反対の方向に向いている前腕支持面を持つ前腕支持部材をそなえることを特徴とする、ゴルフクラブ。
【請求項２６】
該一組のハンドル対それぞれの軸が、該長手軸に略垂直な方向に広がる共通の面内に設けられることを、特徴とする請求項２５記載のゴルフクラブ。
【請求項２７】
該一組のハンドル対が、該ゴルフクラブシャフトの該ハンドル部より等距離だけ離れていることを特徴とする、請求項２５又は２６記載のゴルフクラブ。
【請求項２８】
該前腕支持部材が、該一組のハンドル対のうちの選択された一方に向かって傾斜している虚下降線に沿って伸長し、それによって該虚下降線が該長手軸に対し鋭角を形成することを特徴とする、請求項２５〜２７の何れか１項に記載のゴルフクラブ。
【請求項２９】
該前腕支持部材が、ユーザーの前腕の内側の大部分に密着し収容しうるよう調整された凹部を形成するように構成させたカフ部をそなえ、上記ユーザーの前腕の上記大部分は該ゴルフシャフトに対して大体内側を向いていることを特徴とする、請求項２５〜２８の何れか１項に記載のゴルフクラブ。
【請求項３０】
該前腕支持部材が、該ハンドル上部および該カフ部に接続され、かつ、該ハンドル上部と該カフ部の間に設けられたスペーサー部をそなえることを特徴とする、請求項２９記載のゴルフクラブ。
【請求項３１】
該前腕支持部材が、ユーザーの前腕をとり囲み収容しうるよう調整されたスリーブをそなえることを特徴とする、請求項２５〜２８の何れか１項に記載のゴルフクラブ。
【請求項３２】
該前腕支持部材が、該ハンドル上部および該カフ部に接続され、かつ、該ハンドル上部と該カフ部の間に設けられたスペーサー部をそなえることを特徴とする、請求項３１記載のゴルフクラブ。
【請求項３３】
該前腕支持部材が、該ハンドル上部に離脱可能に接続され、離脱時には、該長手軸を回転中心として旋回しうることを特徴とする、請求項２５〜３２の何れか１項に記載のゴルフクラブ。